(57)【要約】【課題】顧客にとって利便性を向上させることができ、また顧客が希望する各種の窓口取引処理にも対応可能であって、さらに誤記やインプットミスの発生も防ぐことができると共に、窓口オペレータにとっても作業効率を向上せしめることができる媒体取引情報入力装置及び媒体取引情報処理装置を提供せんとするものである。【解決手段】顧客Ａが希望する取引処理に関する取引データを、リーダライタ２１ａを備えた媒体取引情報入力装置２０ａにより、予めカード型媒体１０ａに格納させておき、それを持って銀行の窓口に赴き、そこに設置された媒体取引情報処理装置３０ａのリーダライタ３１ａに挿入して、該カード型媒体１０ａに格納された取引データなどを読み出すことで、それらに基づいて銀行取引処理を実行する。【選択図】　　　　図１
2004118779.tif 000002
【特許請求の範囲】
【請求項１】
カード型媒体の読み書きができるリーダライタと、
任意の情報を出力する表示手段と、
個人認証用の情報及び取引情報の入力手段と、
媒体に書き込まれた個人情報を上記リーダライタから読み出させると共に、個人認証用の情報の入力を促す画面を上記表示手段に表示せしめ、読み出された上記個人情報を基に上記入力手段で入力された情報を照合させて個人認証を行った後、取引情報の入力を促す画面を上記表示手段に表示せしめ、それにより上記入力手段で入力された取引情報を該リーダライタで上記媒体に書き込ませる制御手段と
を有することを特徴とする媒体取引情報入力装置。
【請求項２】
カード型媒体の読み書きができるリーダライタを備える端末装置からのアクセスを受け付ける通信手段と、
上記端末装置に指示を出し、媒体に書き込まれた個人情報を上記リーダライタから読み出させると共に、個人認証用の情報の入力を促す画面を該端末装置に表示せしめ、読み出された上記個人情報を基にその端末装置から入力された情報を照合して個人認証を行った後、取引情報の入力を促す画面を該端末装置に表示せしめ、それにより入力された取引情報を該リーダライタによって上記媒体に書き込む指示を上記端末装置に出力する制御手段と
を有することを特徴とする媒体取引情報入力装置。
【請求項３】
カード型媒体のリーダと、
媒体に書き込まれた個人情報及び取引情報を上記リーダにより読み出させ、それらの情報の表示処理乃至該情報に基づく任意の処理を行う制御手段と
を有することを特徴とする媒体取引情報処理装置。
【請求項４】
上記カード型媒体に格納されている取引情報の一部は、上記制御手段によって取引処理が実行された後も、取引履歴情報として残されることを特徴とする請求項３記載の媒体取引情報処理装置。
【請求項５】
発行時に少なくとも情報の書き込みのできるライタを使用して個人情報の保存が行われる個人情報保存領域と、取引情報の入力及び該取引情報に基づく処理の実行の都度、情報の読み書きのできるリーダライタを使用して該取引情報の保存・更新・削除がなされる取引情報保存領域とを有することを特徴とするカード型媒体。
【請求項６】
カード型媒体のリーダライタにより、該媒体に書き込まれた個人情報が読み出されるステップと、
表示手段により個人認証用の情報の入力を促す画面表示がなされるステップと、
入力手段により入力された個人認証用の情報と読み出された上記個人情報とが制御手段で照合されて個人認証がなされるステップと、
上記表示手段により取引情報の入力を促す画面表示がなされるステップと、
上記制御手段により、上記入力手段で入力された取引情報が上記リーダライタを介して上記媒体に書き込まれるステップと
をコンピュータに実行させることを特徴とする媒体取引情報入力方法。
【請求項７】
カード型媒体のリーダライタを備える端末装置からのアクセスを受け付けた際、該端末装置に指示を出して、該媒体に書き込まれた個人情報を上記リーダライタから読み出させるステップと、
上記端末装置に、個人認証用の情報の入力を促す画面を表示させるステップと、
上記端末装置より入力された個人認証用の情報と読み出された上記個人情報とを制御手段により照合させ、個人認証を行うステップと、
上記端末装置に、取引情報の入力を促す画面を表示させるステップと、
上記制御手段により、入力された取引情報を該リーダライタを介して上記媒体に書き込ませる指示を上記端末装置に出力するステップと
をコンピュータに実行させることを特徴とする媒体取引情報入力方法。
【請求項８】
カード型媒体のリーダにより、該媒体に書き込まれた個人情報及び取引情報が読み出されるステップと、
制御手段により、それらの情報の表示処理乃至該情報に基づく任意の処理が実行されるステップと
をコンピュータに実行させることを特徴とする媒体取引情報処理方法。
【請求項９】
上記カード型媒体に格納されている取引情報の一部は、上記制御手段によって取引処理が実行された後も、取引履歴情報として残されることを特徴とする請求項８記載の媒体取引情報処理方法。
【請求項１０】
カード型媒体のリーダライタを備えたコンピュータに対し、
該媒体に書き込まれた個人情報が、上記リーダライタにより読み出されるステップと、
コンピュータの表示手段で個人認証用の情報の入力を促す画面表示がなされるステップと、
同じくコンピュータの入力手段により入力された個人認証用の情報と読み出された上記個人情報とが該コンピュータの制御手段で照合されて個人認証がなされるステップと、
上記表示手段により取引情報の入力を促す画面表示がなされるステップと、
上記制御手段により、上記入力手段で入力された取引情報が上記リーダライタを介して上記媒体に書き込まれるステップと
を実行させるコンピュータ・プログラム。
【請求項１１】
コンピュータに、
カード型媒体のリーダライタを備える端末装置からのアクセスを受け付けた際、該端末装置に指示を出して、該媒体に書き込まれた個人情報を上記リーダライタから読み出させるステップと、
上記端末装置に、個人認証用の情報の入力を促す画面を表示させるステップと、
上記端末装置より入力された個人認証用の情報と読み出された上記個人情報とを制御手段により照合させ、個人認証を行うステップと、
上記端末装置に、取引情報の入力を促す画面を表示させるステップと、
上記制御手段により、入力された取引情報を該リーダライタを介して上記媒体に書き込ませる指示を上記端末装置に出力するステップと
を実行させるコンピュータ・プログラム。
【請求項１２】
カード型媒体のリーダを備えたコンピュータに対し、
該リーダにより、上記媒体に書き込まれた個人情報及び取引情報が読み出されるステップと、
制御手段により、それらの情報の表示処理乃至該情報に基づく任意の処理が実行されるステップと
を実行させるコンピュータ・プログラム。
【請求項１３】
上記カード型媒体に格納されている取引情報の一部は、上記制御手段によって取引処理が実行された後も、取引履歴情報として残されることを特徴とする請求項１２記載のコンピュータ・プログラム。
【請求項１４】
上記請求項１０〜請求項１３いずれか１つに記載のコンピュータ・プログラムを格納したコンピュータ読み取り可能な記録媒体。
【発明の詳細な説明】
【０００１】
【発明の属する技術分野】
本発明は、金融機関やその他での窓口処理を円滑に行うための媒体取引情報入力装置、媒体取引情報処理装置、カード型媒体、媒体取引情報入力方法、媒体取引情報処理方法、コンピュータ・プログラム及び記録媒体に関する。
【０００２】
【従来の技術】
金融機関などでは、例えば一定限度額を超える預金を口座から引き落とす場合など、窓口処理によらねばならない場合がある。そのような場合に金融機関などにおいて窓口で行われる通常の処理では、待ち番号出力装置から印字出力される待ち番号印字用紙を顧客が受け取り、次に希望する取引に応じた帳票を選んで、顧客自身が必要な事項を書き込む。さらに上記待ち番号順に呼び出されて、窓口で上記帳票を提示し、そこであらためてオペレータが該帳票に書き込まれた事項を窓口端末装置に入力することにより、上記窓口処理が行われている。
【０００３】
上記のような処理では、顧客自身が帳票に書き込む際の手間及び書き込み時の誤記が問題になる。
【０００４】
この点下記特許文献１では、金融機関などでの住所変更などの届出の際に起こり易いこのような問題を解決するため、顧客認証がなされた時点で予めホストコンピュータに登録されている対応する住所・氏名・科目・口座番号などの顧客情報を該コンピュータから読み出して、それらのうちから必要な項目を予め帳票に印字する構成が開示されている。
【０００５】
【特許文献１】
特許第２９３４２３２号公報
【０００６】
【発明が解決しようとする課題】
しかし、上記構成では、届用の帳票記載事項に限られ、それ以外の各種取引用の窓口処理（例えば現金の引き出し、振り込みなど）には利用できない。しかも帳票に上記顧客の個人情報が印字されるだけであり、届用以外の種々の取引に合わせた取引情報は印字されない。
【０００７】
従って他の取引に関する窓口処理を顧客が希望する場合に、上記構成が応用されたとしても、帳票には、必要な顧客の個人情報しか印字されず、それ以外に必須事項とされる取引情報は自分で書き込まなければならず、また取引情報の書き込み時の誤記の問題は依然解決されないままである。
【０００８】
また実際の窓口処理が行われる時には、顧客から提出された帳票に基づき、窓口のオペレータが該帳票に記載された事項をあらためて窓口端末装置にインプットするため、作業が二重手間化し、インプットミスの可能性も残る。
【０００９】
結局帳票に顧客の個人情報が印字されるだけでは、各種取引処理が行われる場合に、顧客及びオペレータ側の利便性の向上にはほとんど役立たないことになる。顧客にしてみれば、窓口処理までにそれなりの時間待たされており、窓口処理の際オペレータが該帳票に記載された事項を再びインプットする分だけ、余計に待たされ、顧客にとってはそれほど意味がないことになる。
【００１０】
さらに付け加えるならば、顧客にとっては金融機関における取引情報についての帳票書き込みに費やす時間さえも無駄であり、できるなら、待たされずに窓口での取引処理が直ぐにできるようにしたいという要請がある。
【００１１】
本発明は以上のような実情に鑑み創案されたもので、たとえば金融機関に出向いた上で取引情報について帳票に書き込みを行わなくても、自宅などでインプットしておき、金融機関に出向いた際にすぐに窓口処理ができるなど、顧客にとって利便性を向上させることができ、また顧客が希望する各種の窓口取引処理にも対応可能であって、さらに誤記やインプットミスの発生も防ぐことができると共に、窓口オペレータにとっても作業効率を向上せしめることができる媒体取引情報入力装置、媒体取引情報処理装置、カード型媒体、媒体取引情報入力方法、媒体取引情報処理方法を提供せんとするものである。
【００１２】
併せてそのような方法をコンピュータに実行せしめることができるコンピュータ・プログラム及び該プログラムを格納したコンピュータ読み取り可能な記録媒体についても提案せんとするものである。
【００１３】
【課題を解決するための手段】
本発明に係る媒体取引情報入力装置の構成は、
カード型媒体の読み書きができるリーダライタと、
任意の情報を出力する表示手段と、
個人認証用の情報及び取引情報の入力手段と、
媒体に書き込まれた個人情報を上記リーダライタから読み出させると共に、個人認証用の情報の入力を促す画面を上記表示手段に表示せしめ、読み出された上記個人情報を基に上記入力手段で入力された情報を照合させて個人認証を行った後、取引情報の入力を促す画面を上記表示手段に表示せしめ、それにより上記入力手段で入力された取引情報を該リーダライタで上記媒体に書き込ませる制御手段と
を有することを基本的特徴としている。
【００１４】
本発明に示す全構成では、カード型媒体発行時（通常１回）に、該媒体を所有する（或いは使用する）個人の個人情報を、媒体へのデータ書き込みができるライタなどを使用して該媒体内に予め登録しておく（後述する請求項６のカード型媒体の内部データ格納領域における個人情報保存領域に格納しておく）ことが前提となる。
【００１５】
そして上記構成は、カード型媒体を使用して窓口における取引処理などが行なえる金融機関などから、記録媒体などに格納されて配布された或いは所定のネットを通じて配布されたコンピュータ・プログラムをインストールすることにより、顧客の有するコンピュータで稼働する、媒体取引情報入力装置として稼働できる構成、或いは金融機関などの受付側に設置された媒体取引情報の入力専用装置の構成が規定されている。
【００１６】
ここでは顧客が自己のカード型媒体の情報を上記リーダライタで読み書きできる状態におく（通常リーダライタにそのようなカード型媒体を挿入する）ことで、以下のようにしてカード型媒体に取引情報が入力されることになる。すなわち、上記装置に備えられた制御手段により、該媒体に書き込まれた個人情報を上記リーダライタから読み出させると共に、個人認証用の情報の入力を促す画面を上記表示手段に表示せしめ、読み出された上記個人情報を基に上記入力手段で入力された情報を照合させて個人認証を行った後、取引情報の入力を促す画面を上記表示手段に表示せしめ、それにより上記入力手段で入力された取引情報を該リーダライタで上記媒体に書き込ませるようにする。
【００１７】
このようにしてカード型媒体に顧客が希望する取引情報を予め登録しておくことで、該媒体を、後述する請求項３乃至請求項４の媒体取引情報処理装置に持ち込み（ただし媒体取引情報入力装置が専用装置などの場合は該装置と媒体取引情報処理装置とが同じ場所に設置される場合もある）、該媒体に記録された個人情報及び取引情報をリーダで読み出すことで、該装置において、これらの情報の画面表示乃至これらの情報を基にした取引処理などが、その（媒体取引情報処理装置の）制御手段により実行されるようになる。
【００１８】
パソコンなどの汎用装置に、記録媒体などの手交乃至ネットなどの通信を介して配布されたコンピュータ・プログラムがインストールされることで、そのような媒体取引情報入力装置として、上記構成が機能する場合は、特に金融機関などの受付などにおいてある必要はない。例えば、顧客個人のパソコンなどが、そのような媒体取引情報入力装置として機能することで、該パソコンがどこにあろうと自由に取引情報の上記媒体への格納ができるようになる。それによって金融機関に出向いて取引情報について帳票に書き込みを行なうような時間を節約でき、上記のようにして取引情報がインプットされた媒体を、金融機関に出向いた際に、そこに設置された媒体取引情報処理装置のリーダに取り込ませて（挿入口に挿入させるなどして）、該媒体の情報を読み取らせることにより、すぐに窓口処理ができるようになる。従って顧客の待ち時間が大幅に短縮されるなど、顧客にとっての利便性が向上することになる。また窓口処理オペレータにしても、データインプットの手間が省け、またインプットミスなどの心配もない。
【００１９】
請求項２の構成は、請求項１のようなスタンドアローンの構成とは異なり、インターネットなどのネット技術を使用し、金融機関などに設置されたコンピュータ（サーバなど）と、顧客が有する端末装置（通常のパソコンなど）とが通信によりつながった場合に、主に上記金融機関側のコンピュータの指示に従った顧客側の端末装置の処理によって、個人情報が既に格納されている上記カード型媒体に、顧客が希望する取引情報の登録がなされる構成が規定されている。すなわち本構成では、顧客が所有するカード型媒体のリーダライタを備えた端末装置とつながる金融機関側のコンピュータ（サーバなど）の装置構成を示しており、その構成は、
カード型媒体の読み書きができるリーダライタを備える端末装置からのアクセスを受け付ける通信手段と、
上記端末装置に指示を出し、媒体に書き込まれた個人情報を上記リーダライタから読み出させると共に、個人認証用の情報の入力を促す画面を該端末装置に表示せしめ、読み出された上記個人情報を基にその端末装置から入力された情報を照合して個人認証を行った後、取引情報の入力を促す画面を該端末装置に表示せしめ、それにより入力された取引情報を該リーダライタによって上記媒体に書き込む指示を上記端末装置に出力する制御手段と
を有することを特徴としている。
【００２０】
上記構成では、顧客側の端末装置とつながる通信手段を有しており、これを通じて上記制御手段が、顧客の端末装置側に指示を出し、請求項１の構成とほぼ同じ処理を顧客端末装置に対し行わせている。もちろん個人認証処理は、金融機関側のコンピュータ（上記のようなサーバなど）の制御手段で行い、また取引情報を該リーダライタによって上記媒体に書き込ませる処理は、金融機関側のコンピュータが遠隔位置にあるので、顧客側の端末装置に指示を出して、該端末装置のリーダライタによって上記媒体に書き込ませることになる。
【００２１】
上記金融機関側のコンピュータの指示により、顧客個人の端末装置が、カード型媒体に取引情報を格納することで、上記の場合と同様、該端末装置がどこにあろうと自由に取引情報の上記媒体への格納ができるようになり、金融機関に出向いて取引情報について帳票に書き込みを行なうような時間を節約できるようになる。またこのようにして取引情報がインプットされた媒体を、金融機関に出向いた際に、そこに設置された媒体取引情報処理装置のリーダに取り込ませて、該媒体の情報を読み取らせることにより、すぐに窓口処理ができるようになり、顧客の待ち時間が大幅に短縮されるなど、顧客にとっての利便性が向上することになる。さらに窓口処理オペレータにしても、データインプットの手間が省け、またインプットミスなどの心配もない。
【００２２】
他方請求項３の構成は、以上のようにして取引情報の格納されたカード型媒体を顧客が金融機関の窓口側に持ち込み、その取引情報に基づいた処理を行ってもらう場合に使用される媒体取引情報処理装置の構成を規定しており、具体的には、
カード型媒体のリーダと、
媒体に書き込まれた個人情報及び取引情報を上記リーダにより読み出させ、それらの情報の表示処理乃至該情報に基づく任意の処理を行う制御手段と
を有することを特徴としている。
【００２３】
すなわち、すでに請求項１又は請求項２の構成により、（個人情報の保存されている）カード型媒体に、既に取引情報が格納されているため、その取引を望む顧客個人は、該媒体を上記媒体取引情報処理装置のリーダに挿入するなどして個人情報及び取引情報を読み取らせ、これらの情報に基づいて、該装置の制御手段により、それらの情報の表示処理乃至該情報に基づく任意の処理を行わせるようにすることができるようになる。そのため、窓口処理オペレータにとっては、データインプットの手間が省け、インプットミスなどの心配もなくなるし、また顧客にとっては、上記オペレータによる窓口処理が速くなる分、金融機関などにおいて窓口処理のための待ち時間などが短縮されるようになる。
【００２４】
請求項４の構成は、既にカード型媒体に格納されている取引情報が請求項３の媒体取引情報処理装置によって実行された後も、該取引情報を取引履歴情報として残しておける構成、すなわち、上記カード型媒体に格納されている取引情報の一部は、上記制御手段によって取引処理が実行された後も、取引履歴情報として残されることが規定されている。窓口処理などでは定期的に（時には不定期に）何回も同じ取引処理を行うことがあり、そのような場合に従前にした１乃至複数の取引処理に関する取引履歴情報をカード型媒体に残しておけば、次に顧客に取引情報を入力させる際に従前の取引履歴情報を提示し、その一部のデータを利用できるようにする（訂正を加える必要のない部分は、そのままのデータが単にコピーするだけで利用可能になる）ことで、顧客が同じような取引処理を行おうとする際に、必要な部分（例えば金額など）だけ入力を行って、同じような入力を何回も行う必要がなくなるからである。またこのような取引履歴情報が残ることで、金額の大きな取引処理が含まれる時などに、後でその取引履歴情報が追えるようになるからである。
【００２５】
この取引履歴情報とは、後述する実施例で示される取引情報（取引データ）中の同じく共通項目にある取引種別と、該取引種別によって指示される項目としての振込項目（振込１〜３）のように、媒体取引情報入力装置によって書き込まれるものの他、上記の媒体取引情報処理装置のリーダに一緒に書込構成も備えることによって書き込むことができる、たとえば後述の実施例における取引データの共通項目にある取引フラグなども含まれる。従って、カード型媒体に書き込まれる取引履歴情報であって、後に顧客による希望取引の入力の際提示されるものは、上述のように、媒体取引情報入力装置によって書き込まれるものの他、媒体取引情報処理装置によって書き込まれるものもあり、これらは顧客の希望取引入力時に読み出されて該顧客に提示されることになる。
【００２６】
請求項５の構成は、以上の装置間で使用されるカード型媒体の構成を規定しており、発行時に少なくとも情報の書き込みのできるライタを使用して個人情報の保存が行われる個人情報保存領域と、取引情報の入力及び該取引情報に基づく処理の実行の都度、情報の読み書きのできるリーダライタを使用して該取引情報の保存・更新・削除がなされる（もちろん上記取引履歴が保存されても良い）取引情報保存領域とを有している必要がある。すなわち、データ格納領域として、以上の個人情報保存領域及び取引情報保存領域の２つの領域を少なくとも有していなければならない。
【００２７】
請求項６及び請求項７の構成は、上記請求項１及び請求項２の媒体取引情報入力装置の構成を、方法の構成としてとらえ直して規定されたものである。
【００２８】
すなわち、請求項６の方法の構成は、上記請求項１の装置の構成に対応しており、より具体的には、
カード型媒体のリーダライタにより、該媒体に書き込まれた個人情報が読み出されるステップと、
表示手段により個人認証用の情報の入力を促す画面表示がなされるステップと、
入力手段により入力された個人認証用の情報と読み出された上記個人情報とが制御手段で照合されて個人認証がなされるステップと、
上記表示手段により取引情報の入力を促す画面表示がなされるステップと、
上記制御手段により、上記入力手段で入力された取引情報が上記リーダライタを介して上記媒体に書き込まれるステップと
をコンピュータに実行させることを特徴としている。
【００２９】
請求項７の方法の構成は、上記請求項２の装置の構成に対応しており、より具体的には、
カード型媒体のリーダライタを備える端末装置からのアクセスを受け付けた際、該端末装置に指示を出して、該媒体に書き込まれた個人情報を上記リーダライタから読み出させるステップと、
上記端末装置に、個人認証用の情報の入力を促す画面を表示させるステップと、
上記端末装置より入力された個人認証用の情報と読み出された上記個人情報とを制御手段により照合させ、個人認証を行うステップと、
上記端末装置に、取引情報の入力を促す画面を表示させるステップと、
上記制御手段により、入力された取引情報を該リーダライタを介して上記媒体に書き込ませる指示を上記端末装置に出力するステップと
をコンピュータに実行させることを特徴としている。
【００３０】
また請求項８及び請求項９の構成は、上記請求項３及び請求項４の媒体取引情報処理装置の構成を、方法の構成としてとらえ直して規定されたものである。
【００３１】
すなわち、請求項８の方法の構成は、上記請求項３の装置の構成に対応しており、より具体的には、
カード型媒体のリーダにより、該媒体に書き込まれた個人情報及び取引情報が読み出されるステップと、
制御手段により、それらの情報の表示処理乃至該情報に基づく任意の処理が実行されるステップと
をコンピュータに実行させることを特徴としている。
【００３２】
請求項９の方法の構成は、上記請求項４の装置の構成に対応しており、具体的な構成としては、上記請求項８の構成において、上記カード型媒体に格納されている取引情報の一部は、上記制御手段によって取引処理が実行された後も、取引履歴情報として残されることを特徴としている。
【００３３】
請求項１０〜請求項１３までの構成は、上記請求項６〜請求項９までに規定した方法をコンピュータに実行させるために、該コンピュータで実行可能なプログラムについて規定している。
【００３４】
すなわち、上述した課題を解決するための構成として、上記請求項６〜請求項９までに規定した各処理を、コンピュータの構成を利用して実行する、該コンピュータで読み込まれて実行可能なコンピュータ・プログラムにつき開示する。もちろんこれらの構成は、コンピュータ・プログラムとしてだけではなく、後述するように、同様な機能を有するプログラムを格納した記録媒体の構成（請求項１４）として提供されても良いことは言うまでもない。この場合、コンピュータとは中央演算処理装置の構成を含んだ汎用的なコンピュータの構成の他、特定の処理に向けられた専用機などを含むものであっても良く、中央演算処理装置の構成を伴うものであれば特に限定はない。
【００３５】
コンピュータに上記各処理を実行させるためのこのようなプログラムが、コンピュータに読み出されると、請求項６〜請求項９までに規定されたいずれかの処理と同様な処理が実行されることになる。
【００３６】
また既存のハードウェア資源を用いてこのコンピュータ・プログラムを実行することにより、既存のハードウェアで新たなアプリケーションとしての本発明の方法が容易に実行できるようになる。さらにこのようなコンピュータ・プログラムが前述の記録媒体に記録されることにより、これをソフトウェア商品として容易に配付、販売することができるようになる。加えて記録媒体の構成としては、上述した形式の場合の他、ＲＡＭやＲＯＭなどの内部記憶装置の構成やハードディスクなどの外部記憶装置の構成であっても良く、そのようなプログラムがそこに記録されれば、本発明に規定された記録媒体に含まれることは言うまでもない。
【００３７】
尚、請求項１０〜請求項１３までに記載された各処理のうち一部の処理を実行する機能は、コンピュータに組み込まれた機能（コンピュータにハードウェア的に組み込まれている機能でも良く、該コンピュータに組み込まれているオペレーティングシステムや他のアプリケーションプログラムなどによって実現される機能でも良い）によって実現され、前記プログラムには、該コンピュータによって達成される機能を呼び出すあるいはリンクさせる命令が含まれていても良い。
【００３８】
これは、請求項１０〜請求項１３までに規定された各処理の一部が、例えばオペレーティングシステムなどによって達成される機能の一部で代行され、その機能を実現するためのプログラムないしモジュールなどは直接記録されているわけではないが、それらの機能を達成するオペレーティングシステムの機能の一部を、呼び出したりリンクさせるようにしてあれば、実質的に同じ構成となるからである。
【００３９】
上記プログラムは、それ自身使用の対象となる他、後述のように記録媒体に記録されて配付乃至販売され、また通信などにより送信されて、譲渡の対象とすることもできるようになる。
【００４０】
そのうち、請求項１０の構成は、請求項６の構成に対応する構成であり、その具体的構成は、
カード型媒体のリーダライタを備えたコンピュータに対し、
該媒体に書き込まれた個人情報が、上記リーダライタにより読み出されるステップと、
コンピュータの表示手段で個人認証用の情報の入力を促す画面表示がなされるステップと、
同じくコンピュータの入力手段により入力された個人認証用の情報と読み出された上記個人情報とが該コンピュータの制御手段で照合されて個人認証がなされるステップと、
上記表示手段により取引情報の入力を促す画面表示がなされるステップと、
上記制御手段により、上記入力手段で入力された取引情報が上記リーダライタを介して上記媒体に書き込まれるステップと
を実行させるコンピュータ・プログラムである。
【００４１】
請求項１１の構成は、請求項７の構成に対応する構成であり、その具体的構成は、
コンピュータに、
カード型媒体のリーダライタを備える端末装置からのアクセスを受け付けた際、該端末装置に指示を出して、該媒体に書き込まれた個人情報を上記リーダライタから読み出させるステップと、
上記端末装置に、個人認証用の情報の入力を促す画面を表示させるステップと、
上記端末装置より入力された個人認証用の情報と読み出された上記個人情報とを制御手段により照合させ、個人認証を行うステップと、
上記端末装置に、取引情報の入力を促す画面を表示させるステップと、
上記制御手段により、入力された取引情報を該リーダライタを介して上記媒体に書き込ませる指示を上記端末装置に出力するステップと
を実行させるコンピュータ・プログラムである。
【００４２】
請求項１２の構成は、請求項８の構成に対応する構成であり、その具体的構成は、
カード型媒体のリーダを備えたコンピュータに対し、
該リーダにより、上記媒体に書き込まれた個人情報及び取引情報が読み出されるステップと、
制御手段により、それらの情報の表示処理乃至該情報に基づく任意の処理が実行されるステップと
を実行させるコンピュータ・プログラムである。
【００４３】
請求項１３の構成は、請求項９の構成に対応する構成であり、より具体的には、上記請求項１２の構成において、上記カード型媒体に格納されている取引情報の一部は、上記制御手段によって取引処理が実行された後も、取引履歴情報として残されることを特徴としている。
【００４４】
さらに請求項１４の構成は、上述のように、請求項１０〜請求項１３いずれか１つに記載のコンピュータ・プログラムが格納されたコンピュータ読み取り可能な記録媒体について規定している。すなわち、これらのコンピュータ・プログラムは、記録媒体に格納されて、取引の対象とすること或いは実際に実行することなども可能である。
【００４５】
上記方法やプログラム（或いは上記記録媒体から読み出されたプログラム）を実行するコンピュータ或いは上記システムを構成するコンピュータは、１つの構成（スタンドアローン型のコンピュータなど）であっても良いが、それに限定されるわけではなく、ネットワークを構成する複数のコンピュータ（複数のサーバなど）で構成され、前記各ステップでなされる処理は、それらのコンピュータにおいて（必要であれば適当な通信構成を介して）分散して実行されるように、プログラムに設定されるようにしても良い。
【００４６】
【発明の実施の形態】
以下、本発明の実施の形態を図示例と共に説明する。
図１は、本発明の一実施例構成を示す説明図である。本実施例構成では、顧客Ａは自宅乃至職場にあるパソコンを本願の媒体取引情報入力装置２０ａとして用いて、自己が銀行の窓口においてしたい取引に関するデータを予めカード型媒体１０ａに格納させておき、それを持って銀行の窓口に赴き、その銀行窓口端末装置である媒体取引情報処理装置３０ａに接続されたリーダライタ３１ａに挿入し、該カード型媒体１０ａに格納されたデータに基づいて、顧客Ａが希望する銀行取引処理が実行されるようにした構成を示している。
【００４７】
上記媒体取引情報入力装置２０ａは、図面上、顧客Ａの自宅乃至職場のパソコンと、該パソコンに任意のインターフェースを介して接続されたリーダライタ２１ａで構成されている。
【００４８】
図２は、その媒体取引情報入力装置２０ａの機能構成を示すブロック図であり、バス（中央の両矢印線）を介して接続された画面の表示部２２ａと、キーボードやマウスなどで構成される入力部２３ａと、ＣＰＵで構成される制御部２４ａと、内部記憶装置としてのＲＡＭ２５ａ及びＲＯＭ２６ａと、外部記憶装置としてのハードディスクドライブ２７ａ及びＣＤ−ＲＯＭドライブ２８ａと、外部のネットとの通信を行う通信部２９ａとを有しており、該上記バスを通じてこれらのデバイスに各種命令やデータの受け渡しがなされる。また本構成では、上述のように、上記バスにつながった入出力インターフェース２１０ａを介して上記リーダライタ２１ａが接続されている。
【００４９】
上記媒体取引情報処理装置３０ａは、同図に示すように、顧客Ａが利用している銀行の窓口に設置された窓口端末装置と、該窓口に設置されたリーダライタ３１ａで構成されている。また本媒体取引情報処理装置３０ａにおいてなされる窓口処理は、基本的に同銀行の本店などに設置されたホスト４０においてなされ、その結果に従った付帯的な処理が窓口端末装置によって実行され、又は窓口オペレータにそのような付帯的な処理を実行する指示の出力画面が表示される。
【００５０】
図３は、その媒体取引情報処理装置３０ａの機能構成を示すブロック図であり、バス（中央の両矢印線）を介して接続された画面の表示部３２ａと、キーボードやマウスなどで構成される入力部３３ａと、ＣＰＵで構成される制御部３４ａと、内部記憶装置としてのＲＡＭ３５ａ及びＲＯＭ３６ａと、外部記憶装置としてのハードディスクドライブ３７ａ及びＣＤ−ＲＯＭドライブ３８ａと、ホスト４０との通信を行う通信部３９ａとを有しており、該上記バスを通じてこれらのデバイスに各種命令やデータの受け渡しがなされる。また本構成では、上述のように、上記バスにつながった入出力インターフェース３１０ａを介して上記リーダライタ３１ａが接続されている。
【００５１】
上記本構成で使用されるカード型媒体１０ａには、本実施例構成ではＩＣカードが用いられており、図４に示されるようなデータ格納領域を備えている。そのデータ項目として、個人情報と取引情報（以下取引データという）との２つの項目がある。その他、図面上にはないが、顧客Ａの暗証番号が個人情報中に書き込まれている。
【００５２】
そのうち個人情報の各データ項目は、カード型媒体１０ａ発行時に保存されるものであって、氏名・性別コード・口座番号（これらは、口座作成に伴う媒体発行時に格納される）、郵便番号・住所・電話番号（これらは、媒体発行時に格納されるが、後に住所変更などがあった場合も変更可能である）などがある。これらのデータは、顧客Ａの毎回の取引の度に読み出され、参照される。
【００５３】
また取引データは、基本的には顧客Ａが上記媒体取引情報入力装置２０ａを使用して、後述するような取引情報の選択・データの入力を行うことにより、希望するデータが格納され、また上記媒体取引情報処理装置３０ａで処理させることにより、該取引データに基づいて顧客Ａの希望する取引処理が実行されることになる。そのためそのデータ項目には、上記の処理に必要な共通項目、振込項目１〜３、両替項目などがあり、顧客Ａにより上記媒体取引情報入力装置２０ａを使用して入力される。
【００５４】
そのうち、共通項目には、取引金額（引出処理や振込処理時などに必要な金額が保存される）、取引種別（引出処理、預入処理、振込処理、両替処理及び公共料金支払い処理などの種別が保存される；該取引種別は後述する取引フラグ及び振込項目１〜３と共に取引履歴情報を構成する）、取引日時（上記媒体取引情報入力装置２０ａのリーダライタ２１ａに媒体１０ａを挿入した日時）、取引フラグ（取引処理済みか、まだ取引は行われておらず単に入力済みかを判別するためのフラグ）がある。これらは、基本的に媒体取引情報入力装置２０ａによって格納されるが、上記取引フラグは、取引処理を行う媒体取引情報処理装置３０ａによって、取引処理済みになった時にセットされることになる（該取引フラグは上述するように取引履歴情報を構成するものとなる）。
【００５５】
尚該取引フラグは、媒体取引情報入力装置２０ａによって入力処理が行われようとする時に、前回の取引処理が済んでいるか否かのチェックに使用され、単に入力処理済みで取引処理済みでなければ、前回入力済みの項目の処理が終了していないので、入力が受け付けられない旨表示される（さらに前回の取引処理をキャンセルして新たに入力処理を行うか否かを顧客Ａに尋ねるようにしても良い）。また上記取引フラグは、媒体取引情報処理装置３０ａによって取引処理が行われようとする時に、そのための入力処理が済んでいるか否かのチェックに使用され、単に取引処理済みで入力処理が終わっていなければ、前提としての項目入力処理が終了していないので、取引処理が行えない旨表示されることになる。
【００５６】
また振込項目１〜３は、振込先銀行コード、振込先店番号、受取人名及び預金種別の各項目があり、これらの項目は、顧客Ａにより、上記媒体取引情報入力装置２０ａから入力される項目であるが、上述のように、一旦入力されるとそのまま格納され（３つまで格納されるが、それ以後新たな振込項目が入力されると古いものから順に消去される；本実施例では３つまでだが、記憶容量に余裕があれば４つ以上の振込項目が設けられていても良い）、以後顧客Ａの希望取引が振込処理であるの際に提示される取引履歴情報となるものである。すなわち、顧客が振込処理を希望することを選択した場合に、上記取引種別（この際顧客が選択した振込項目１〜３のいずれかが指定される）及び取引フラグ（従前の処理は既に終了しているか）を参照し、従前に既に処理されている振込項目（振込処理済みの振込１〜３の処理）のデータが読み出され、それらの既処理済みの項目が再度選択された場合は、該当する項目データがそのまま用いられ、顧客Ａは、同じ項目については重複して入力する必要がなくなる。
【００５７】
上記両替項目は、顧客Ａが両替の取引処理を希望する入力を行った際、両替する紙幣の枚数乃至貨幣の個数を格納しておく項目である。これらは、媒体取引情報入力装置２０ａによって格納されるが、該媒体取引情報入力装置２０ａによって新たな取引処理が選択される毎に、消し込み処理が行われるようになっている。
【００５８】
図５は、顧客Ａが、上記媒体取引情報処理装置３０ａの設置された銀行から、媒体取引情報入力装置用のプログラムを入手し、それを自己の有するパソコンにインストールして、上記媒体取引情報入力装置２０ａとして使用した場合に、該顧客Ａが本装置に希望する取引処理に関するデータを入力する際の処理の流れを示すフローチャートを示している。
【００５９】
該プログラムが稼働することで、上記装置２０ａの表示部２２ａには、取引一覧画面が表示される（ステップＳ１０１）。この表示に従って、顧客Ａは自分の希望する取引処理の選択を行う（ステップＳ１０２）。
【００６０】
そして本媒体取引情報入力装置２０ａにより、取引処理が選択されたか否かがチェックされる（ステップＳ１０３）。いずれの取引処理も選択されていなければ（ステップＳ１０３；Ｎ）、上記ステップＳ１０１に復帰する。
【００６１】
反対にいずれかの取引処理が選択されていれば（ステップＳ１０３；Ｙ）、顧客Ａに対し、カード型媒体１０ａのリーダライタ２１ａへの挿入要求が、上記表示部２２ａに出力される（ステップＳ１０４）。これに従い、顧客Ａは、自分が有するカード型媒体１０ａを上記リーダライタ２１ａに挿入する（ステップＳ１０５）。
【００６２】
すると上記媒体取引情報入力装置２０ａにより、カード型媒体１０ａが挿入されたか否かがチェックされる（ステップＳ１０６）。該カード型媒体１０ａが挿入されていなければ（ステップＳ１０６；Ｎ）、上記ステップＳ１０４に復帰する。
【００６３】
反対にカード型媒体１０ａが挿入されていれば（ステップＳ１０６；Ｙ）、上記媒体取引情報入力装置２０ａにより、ＩＣカードであるカード型媒体１０ａに活性化要求が出力され（ステップＳ１０７）、その後該媒体１０ａからアンサートゥリセット（ＡＴＲ）の応答があったか否かがチェックされる（ステップＳ１０８）。
【００６４】
上記カード型媒体１０ａからＡＴＲ応答がなければ（ステップＳ１０８；Ｎ）、上記ステップＳ１０４に復帰する。
【００６５】
反対にカード型媒体１０ａからＡＴＲ応答があれば（ステップＳ１０８；Ｙ）、上記媒体取引情報入力装置２０ａにより、顧客Ａに対し、暗証番号の入力要求が上記表示部２２ａに出力される（ステップＳ１０９）。これに従い、顧客Ａは、自分の暗証番号を入力する（ステップＳ１１０）。
【００６６】
入力された暗証番号が、カード型媒体１０ａに格納されている暗証番号と一致するか否かの検証要求が、媒体取引情報入力装置２０ａにより出力される（ステップＳ１１１）。
【００６７】
この暗証番号の検証で、暗証番号が有効であるか否かがチェックされ（ステップＳ１１２）、暗証番号が有効でなければ（ステップＳ１１２；Ｎ）、上記ステップＳ１０９に復帰する。
【００６８】
反対に暗証番号が有効であれば（ステップＳ１１２；Ｙ）、顧客Ａが選択した取引処理に従って、後述する図６〜図１０のいずれかに示す取引別処理が行われる（ステップＳ１１３）。
【００６９】
これらの処理が終了した場合は、カード型媒体１０ａに書き込むべき取引情報（取引データ）が確定するので、上記媒体取引情報入力装置２０ａにより、該取引データのカード型媒体１０ａへの書込要求が出力される（ステップＳ１１４）。そして上記リーダライタ２１ａにより、該データがカード型媒体１０ａに書き込まれる。
【００７０】
その後上記表示部２２ａにカード型媒体１０ａを抜き取るべき表示が出力される（ステップＳ１１５）。
【００７１】
以上の処理が媒体取引情報入力装置２０ａにより行われることで、カード型媒体１０ａに、顧客Ａが希望する取引処理のデータが格納されることになる。
【００７２】
図６は、図５のステップＳ１１３の取引別処理における、顧客の口座からの所定金額の引出処理に関する処理の流れを示すフローチャートを示している。
【００７３】
同図に示すように、上記媒体取引情報入力装置２０ａの表示部２２ａに、取引金額（いくら引き出したいか）の入力要求が出力されるので（ステップＳ２０１）、顧客Ａはそれに従って、引出金額を入力する（ステップＳ２０２）。
【００７４】
その後、上記表示部２２ａに、取引内容（引出金額を含む）が表示される（ステップＳ２０３）。そして顧客Ａに対し、同じく表示部２２ａを介して、確認要求が出力される（ステップＳ２０４）。
【００７５】
顧客Ａは、その要求に対しＹｅｓかＮｏのボタンをクリックすることで取引確認処理を行う（ステップＳ２０５）。
【００７６】
そして顧客Ａによる確認がＯＫ（Ｙｅｓ）か否かがチェックされる（ステップＳ２０６）。ＯＫでなければ（ステップＳ２０６；Ｎ）、上記ステップＳ２０１に復帰する。反対にＯＫであれば（ステップＳ２０６；Ｙ）、上記本処理に戻る。即ち、図５のステップＳ１１４に処理が移る。
【００７７】
図７は、図５のステップＳ１１３の取引別処理における、顧客の口座へ入金する場合の処理の流れを示すフローチャートを示している。
【００７８】
同図に示すように、上記媒体取引情報入力装置２０ａの表示部２２ａに、預入金額（いくら預け入れたいか）の入力要求が出力されるので（ステップＳ３０１）、顧客Ａはそれに従って、預入金額を入力する（ステップＳ３０２）。
【００７９】
その後、上記表示部２２ａに、取引内容（預入金額を含む）が表示される（ステップＳ３０３）。そして顧客Ａに対し、同じく表示部２２ａを介して、確認要求が出力される（ステップＳ３０４）。
【００８０】
顧客Ａは、その要求に対しＹｅｓかＮｏのボタンをクリックすることで取引確認処理を行う（ステップＳ３０５）。
【００８１】
そして顧客Ａによる確認がＯＫ（Ｙｅｓ）か否かがチェックされる（ステップＳ３０６）。ＯＫでなければ（ステップＳ３０６；Ｎ）、上記ステップＳ３０１に復帰する。反対にＯＫであれば（ステップＳ３０６；Ｙ）、上記本処理に戻る。即ち、図５のステップＳ１１４に処理が移る。
【００８２】
図８は、図５のステップＳ１１３の取引別処理における、顧客の口座から税金や公共料金の納付を行う場合の処理の流れを示すフローチャートを示している。
【００８３】
同図に示すように、上記媒体取引情報入力装置２０ａの表示部２２ａに、納付金額（いくら納付するのか）の入力要求が出力されるので（ステップＳ４０１）、顧客Ａはそれに従って、納付金額を入力する（ステップＳ４０２）。
【００８４】
その後、上記表示部２２ａに、取引内容（納付金額を含む）が表示される（ステップＳ４０３）。そして顧客Ａに対し、同じく表示部２２ａを介して、確認要求が出力される（ステップＳ４０４）。
【００８５】
顧客Ａは、その要求に対しＹｅｓかＮｏのボタンをクリックすることで取引確認処理を行う（ステップＳ４０５）。
【００８６】
そして顧客Ａによる確認がＯＫ（Ｙｅｓ）か否かがチェックされる（ステップＳ４０６）。ＯＫでなければ（ステップＳ４０６；Ｎ）、上記ステップＳ４０１に復帰する。反対にＯＫであれば（ステップＳ４０６；Ｙ）、上記本処理に戻る。即ち、図５のステップＳ１１４に処理が移る。
【００８７】
図９は、図５のステップＳ１１３の取引別処理における、顧客が両替処理を行う場合の処理の流れを示すフローチャートを示している。
【００８８】
同図に示すように、上記媒体取引情報入力装置２０ａの表示部２２ａに、両替金額（いくら両替するのか）の入力要求が出力されるので（ステップＳ５０１）、顧客Ａはそれに従って、両替金額を入力する（ステップＳ５０２）。
【００８９】
次に同表示部２２ａに、両替枚数（夫々の紙幣・硬貨が何枚ずつ・何個ずつ必要か）の入力要求が出力されるので（ステップＳ５０３）、顧客Ａはそれに従って、夫々の枚数・個数を入力する（ステップＳ５０４）。
【００９０】
その後、上記表示部２２ａに、取引内容（夫々の紙幣・硬貨でどの額の金額が両替されるかを含む）が表示される（ステップＳ５０５）。そして顧客Ａに対し、同じく表示部２２ａを介して、確認要求が出力される（ステップＳ５０６）。
【００９１】
顧客Ａは、その要求に対しＹｅｓかＮｏのボタンをクリックすることで取引確認処理を行う（ステップＳ５０７）。
【００９２】
そして顧客Ａによる確認がＯＫ（Ｙｅｓ）か否かがチェックされる（ステップＳ５０８）。ＯＫでなければ（ステップＳ５０８；Ｎ）、上記ステップＳ５０１に復帰する。反対にＯＫであれば（ステップＳ５０８；Ｙ）、上記本処理に戻る。即ち、図５のステップＳ１１４に処理が移る。
【００９３】
図１０は、図５のステップＳ１１３の取引別処理における、顧客が振込処理を行う場合の処理の流れを示すフローチャートを示している。
【００９４】
顧客が希望する取引として振込処理が選択されているので（図５ステップＳ１０３）、上記媒体取引情報入力装置２０ａにより、リーダライタ２１ａ内のカード型媒体１０ａ内の振込項目１〜３のデータの読み込み処理が行われる（ステップＳ６０１）。そして振込項目のデータがあるか否かがチェックされる（ステップＳ６０２）。
【００９５】
ここで振込項目のデータがなければ（ステップＳ６０２；Ｎ）、後述する新たな振込先に関するデータの入力要求が出力されるステップＳ６０７へ移行する。
【００９６】
反対に振込項目のデータがあれば（ステップＳ６０２；Ｙ）、カード型媒体１０ａ内に保存された振込項目１〜３のデータが上記表示部２２ａに表示される（ステップＳ６０３）。
【００９７】
そして該表示部２２ａに、これらの保存データ（既存データ）を利用して振込処理を行うのかそれとも新たな振込先に関するデータ入力を行ってそこに振込処理を行うのかを尋ねる画面表示がなされる（ステップＳ６０４）。
【００９８】
そこで顧客Ａにより、既存データを選択して振込処理を行うか、新たな振込先に関するデータ入力を行ってそこに振込処理を行うかについての選択処理がなされる（ステップＳ６０５）。
【００９９】
それから上記媒体取引情報入力装置２０ａにより、既存データを利用した振込処理が選択されたか否かがチェックされる（ステップＳ６０６）。
【０１００】
既存データを利用した振込処理が選択されていなければ（ステップＳ６０６；Ｎ）、表示部２２ａに、新たな振込先に関するデータの入力要求が出力される（ステップＳ６０７）。ここで顧客Ａにより、新たな振込先に関するデータが入力される（ステップＳ６０８）と、後述するステップＳ６０９に移行する。
【０１０１】
また既存データを利用した振込処理が選択されていれば（ステップＳ６０６；Ｙ）、表示部２２ａに、振込金額（いくら振り込むのか）の入力要求が出力されるので（ステップＳ６０９）、顧客Ａはそれに従って、振込金額を入力する（ステップＳ６１０）。
【０１０２】
その後、上記表示部２２ａに、取引内容（振込金額を含む）が表示される（ステップＳ６１１）。そして顧客Ａに対し、同じく表示部２２ａを介して、確認要求が出力される（ステップＳ６１２）。
【０１０３】
顧客Ａは、その要求に対しＹｅｓかＮｏのボタンをクリックすることで取引確認処理を行う（ステップＳ６１３）。
【０１０４】
そして顧客Ａによる確認がＯＫ（Ｙｅｓ）か否かがチェックされる（ステップＳ６１４）。ＯＫでなければ（ステップＳ６１４；Ｎ）、上記ステップＳ６０２に復帰する。反対にＯＫであれば（ステップＳ６１４；Ｙ）、上記本処理に戻る。即ち、図５のステップＳ１１４に処理が移る。
【０１０５】
図１１は、上述のようにして媒体取引情報入力装置２０ａにより顧客Ａの希望する取引処理データが格納されたカード型媒体１０ａを持って銀行の窓口に赴き、上記媒体取引情報処理装置３０ａに接続されたリーダライタ３１ａに挿入して、該カード型媒体１０ａに格納されたデータに基づき、顧客Ａの希望する銀行取引処理が実行された際の処理の流れを示すフローチャートを示している。
【０１０６】
同図に示すように、媒体取引情報処理装置３０ａの表示部３２ａに、カード型媒体１０ａの挿入を促す表示が出力され（ステップＳ７０１）、顧客Ａによりカード型媒体１０ａが媒体取引情報処理装置３０ａのリーダライタ３１ａに挿入される（ステップＳ７０２）。
【０１０７】
そして該媒体取引情報処理装置３０ａにより、上記カード型媒体１０ａが挿入されたか否かがチェックされ（ステップＳ７０３）、カード型媒体１０ａが挿入されていなければ（ステップＳ７０３；Ｎ）、上記ステップＳ７０１に復帰する。
【０１０８】
反対にカード型媒体１０ａが挿入されていれば（ステップＳ７０３；Ｙ）、上記媒体取引情報処理装置３０ａにより、ＩＣカードであるカード型媒体１０ａに活性化要求が出力され（ステップＳ７０４）、その後該媒体１０ａからＡＴＲの応答があったか否かがチェックされる（ステップＳ７０５）。
【０１０９】
上記カード型媒体１０ａからＡＴＲ応答がなければ（ステップＳ７０５；Ｎ）、上記ステップＳ７０１に復帰する。
【０１１０】
反対にカード型媒体１０ａからＡＴＲ応答があれば（ステップＳ７０５；Ｙ）、媒体取引情報処理装置３０ａにより、媒体１０ａ中の取引データの読み出し要求が出力され、リーダライタ３１ａを介して、そのデータがＲＡＭ３５ａ上に読み出される。そして顧客Ａが希望する取引内容が、上記表示部３２ａに表示される（ステップＳ７０７）。そして銀行の窓口オペレータに対し、同じく表示部３２ａを介して、確認要求が出力される（ステップＳ７０８）ので、該オペレータは、顧客Ａに表示された内容で良いかを尋ねる。
【０１１１】
顧客Ａの返答に応じて、該オペレータがＹｅｓかＮｏのボタンをクリックすることで取引確認処理を行う（ステップＳ７０９）。
【０１１２】
そしてオペレータの操作による確認がＯＫ（Ｙｅｓ）か否かがチェックされる（ステップＳ７１０）。ＯＫでなければ（ステップＳ７１０；Ｎ）、上記ステップＳ７０６に復帰する。反対にＯＫであれば（ステップＳ７１０；Ｙ）、媒体取引情報処理装置３０ａは、ホスト４０での処理が必要な時は該ホスト４０との接続により、また単独で処理できる場合はそのままで、顧客の希望する取引処理（顧客Ａが希望してカード型媒体１０ａに格納したデータに基づく銀行取引処理）が実行される（ステップＳ７１１）。
【０１１３】
以上詳述した本実施例構成によれば、顧客Ａが自己のカード型媒体１０ａを上記媒体取引情報入力装置２０ａのリーダライタ２１ａに挿入することで、該媒体１０ａに書き込まれた個人情報が上記リーダライタ２１ａから読み出され、また入力された取引データを該リーダライタ２１ａにより上記媒体１０ａに書き込むことができるので、該カード型媒体１０ａに顧客Ａが希望する取引データを予め登録しておくことができる。また該カード型媒体１０ａを、取引銀行に設置された媒体取引情報処理装置３０ａに持ち込み、該媒体１０ａに記録された個人情報及び取引データをリーダライタ３１ａで読み出すことで、該装置３０ａにおいて、これらの取引情報の画面表示がなされ、さらにこれらのデータを基にした銀行取引処理が、その媒体取引情報処理装置３０ａにより実行されるようになる。
【０１１４】
本実施例では、顧客Ａ個人のパソコンが、そのような媒体取引情報入力装置２０ａとして機能することで、該パソコンがどこにあろうと自由に取引データの上記カード型媒体１０ａへの格納ができるようになる。それによって取引銀行に出向いて取引情報について帳票に書き込みを行なうような時間を節約でき、上記のようにして取引データがインプットされたカード型媒体１０ａを、銀行に出向いた際に、そこに設置された媒体取引情報処理装置３０ａのリーダライタ３１ａの挿入口に挿入させて、該カード型媒体１０ａのデータを読み取らせることにより、すぐに窓口取引処理ができるようになる。従って顧客Ａの待ち時間が大幅に短縮されるなど、顧客Ａにとっての利便性が向上することになる。また窓口処理オペレータにしても、データインプットの手間が省け、またインプットミスなどの心配もない。
【０１１５】
図１２は、銀行受付端末装置専用機としての媒体取引情報入力装置２０ｂが銀行の入り口側に設置された状態の２つ目の実施例構成を示している。該媒体取引情報入力装置２０ｂは専用機なので、そのリーダライタ２１ｂも該装置２０ｂに内蔵された状態で設置されている。その他の構成は前実施例と同じなので、それらの詳細な説明については省略する。
【０１１６】
尚、本発明の媒体取引情報入力装置及び媒体取引情報処理装置の構成は、上述の実施例にのみ限定されるものではなく、本発明の要旨を逸脱しない範囲内において種々変更を加え得ることは勿論である。
【０１１７】
【発明の効果】
以上、説明したように本発明の請求項１〜請求項１４記載の媒体取引情報入力装置、媒体取引情報処理装置、カード型媒体、媒体取引情報入力方法、媒体取引情報処理方法、コンピュータ・プログラム及び記録媒体によれば、出向いた先で取引情報について帳票に書き込みを行わなくても、自宅などでインプットしておき、金融機関など、出向いた先ですぐに窓口処理ができるようになるため、顧客にとって利便性を向上させることができ、また顧客が希望する各種の窓口取引処理にも対応可能であって、さらに顧客による帳票書込時の誤記や窓口処理時のオペレータなどによるインプットミスの発生も防ぐことができると共に、窓口オペレータなどにとっても作業効率を向上せしめることができるという優れた効果を奏し得る。
【図面の簡単な説明】
【図１】本発明の一実施例構成を示す説明図である。
【図２】媒体取引情報入力装置２０ａの機能構成を示すブロック図である。
【図３】媒体取引情報処理装置３０ａの機能構成を示すブロック図である。
【図４】カード型媒体１０ａのデータ格納領域構成を示す説明図である。
【図５】プログラムがインストールされて、媒体取引情報入力装置２０ａとして使用した場合に、顧客Ａが本装置に希望する取引処理に関するデータを入力する際の処理の流れを示すフローチャートを示している。
【図６】図５のステップＳ１１３の取引別処理における、顧客の口座からの所定金額の引出処理に関する処理の流れを示すフローチャートを示している。
【図７】図５のステップＳ１１３の取引別処理における、顧客の口座へ入金する場合の処理の流れを示すフローチャートを示している。
【図８】図５のステップＳ１１３の取引別処理における、顧客の口座から税金や公共料金の納付を行う場合の処理の流れを示すフローチャートを示している。
【図９】図５のステップＳ１１３の取引別処理における、顧客が両替処理を行う場合の処理の流れを示すフローチャートを示している。
【図１０】図５のステップＳ１１３の取引別処理における、顧客が振込処理を行う場合の処理の流れを示すフローチャートを示している。
【図１１】取引処理データが格納されたカード型媒体１０ａをリーダライタ３１ａに挿入して、該カード型媒体１０ａに格納されたデータに基づき、顧客Ａの希望する銀行取引処理が実行された際の処理の流れを示すフローチャートを示している。
【図１２】銀行受付端末装置専用機としての媒体取引情報入力装置２０ｂが銀行の入り口側に設置された状態の２つ目の実施例構成を示す説明図である。
【符号の説明】
１０ａ　　　　　　　　　　　　　カード型媒体
２０ａ、２０ｂ　　　　　　　　　媒体取引情報入力装置
２１ａ、２１ｂ、３１ａ、３１ｂ　リーダライタ
２２ａ、３２ａ　　　　　　　　　表示部
２３ａ、３３ａ　　　　　　　　　入力部
２４ａ、３４ａ　　　　　　　　　制御部
２５ａ、３５ａ　　　　　　　　　ＲＡＭ
２６ａ、３６ａ　　　　　　　　　ＲＯＭ
２７ａ、３７ａ　　　　　　　　　ハードディスクドライブ
２８ａ、３８ａ　　　　　　　　　ＣＤ−ＲＯＭドライブ
２９ａ、３９ａ　　　　　　　　　通信部
３０ａ、３０ｂ　　　　　　　　　媒体取引情報処理装置
４０　　　　　　　　　　　　　　ホスト
２１０ａ、３１０ａ　　　　　　　　入出力インターフェース
【図１】
2004118779.tif 000003
【図２】
2004118779.tif 000004
【図３】
2004118779.tif 000005
【図４】
2004118779.tif 000006
【図５】
2004118779.tif 000007
【図６】
2004118779.tif 000008
【図７】
2004118779.tif 000009
【図８】
2004118779.tif 000010
【図９】
2004118779.tif 000011
【図１０】
2004118779.tif 000012
【図１１】
2004118779.tif 000013
【図１２】
2004118779.tif 000014